(57)【要約】【課題】複数の発光色を発することが可能な発光装置を提供する。【解決手段】照明装置１０は、透明基板２１の一主面（素子領域内）に透明基板２１の長手方向に沿って配列され前記透明基板２１の短手方向に沿って延びる複数の第１電極３２，４２を有する。第１電極３２，４２の一主面には、発光部３３，４３が形成され、透明基板２１の主面には、この発光部３３，４３を覆うように第２電極２２が形成されている。透明基板２１の短手方向の両端部には、第１電極３２に接続された第１給電部３１と、第１電極４２に接続された第２給電部４１とがそれぞれ形成されている。各給電部３１，４１は、透明基板２１の長手方向の一端側に形成され端子部２４ａ，２４ｃにそれぞれ接続され、制御部１２からの駆動電流が供給される。そして、発光部３３と発光部４３とは、互いに異なる発光色に設定されている。【選択図】図１
2013125690.tif 000002
【特許請求の範囲】
【請求項１】
透明基板と、
前記透明基板の一主面に設定された素子領域内に形成され、第１の方向に沿って配列され前記第１の方向と異なる第２の方向に沿って延びるように形成された複数の第１電極と、
前記複数の第１電極の一主面にそれぞれ形成された発光部と、
前記複数の発光部を覆うように形成された１つの第２電極と、
前記複数の第１電極のうちの少なくとも１つに接続された第１給電部と、
前記複数の第１電極のうちの前記第１給電部が接続されていない第１電極に接続された第２給電部と、
前記第１の方向の先端側又は基端側に形成され、前記第１給電部及び前記第２給電部にそれぞれ接続された第１端子部及び第２端子部と、
を有し、
前記第１給電部に接続された前記第１電極上の発光部と、前記第２給電部に接続された前記第１電極上の発光部とは、互いに異なる発光色に設定されたこと、
を特徴とする発光装置。
【請求項２】
透明基板と、
前記透明基板の一主面に設定された素子領域内に形成され、第１の方向に沿って配列され前記第１の方向と異なる第２の方向に沿って延びるように形成された複数の第１電極と、
前記複数の第１電極の一主面にそれぞれ形成された発光部と、
前記複数の発光部を覆うように形成された１つの第２電極と、
前記複数の第１電極のうちの少なくとも１つに接続された第１給電部と、
前記複数の第１電極のうちの前記第１給電部が接続されていない第１電極に接続された第２給電部と、
前記第１の方向の先端側又は基端側に形成され、前記第１給電部及び前記第２給電部にそれぞれ接続された第１端子部及び第２端子部と、
を有し、
前記第１給電部に接続された前記第１電極上の発光部と、前記第２給電部に接続された前記第１電極上の発光部とは、互いに同一の発光色に設定され、
前記第１電極と前記透明基板との間に第１電極の位置に応じて複数形成され前記発光部が発する光の透過光が異なるカラーフィルタが設けられたこと、
を特徴とする発光装置。
【請求項３】
前記第１電極は、前記第１給電部に接続された第１電極と、前記第２給電部に接続された第１電極とが前記第１の方向に沿って交互に配列されたこと、
を特徴とする請求項１又は２に記載の発光装置。
【請求項４】
前記第１及び第２給電部は、それぞれ接続された前記第１電極が同一部材で形成されたこと、を特徴とする請求項１〜３のいずれか一項に記載の発光装置。
【請求項５】
前記発光部に駆動電流を供給する時間を制御する制御部を備えたこと、
を特徴とする請求項１〜４のいずれか一項に記載の発光装置。
【請求項６】
前記発光部に供給する駆動電流の大きさを制御する制御部を備えたこと、
を特徴とする請求項１〜４のいずれか一項に記載の発光装置。
【請求項７】
前記発光部の少なくとも１つは、前記透明基板の一主面に垂直な方向に複数の発光層が多層に形成されたこと、
を特徴とする請求項１〜６のいずれか一項に記載の発光装置。
【請求項８】
前記透明基板の一主面に複数の前記素子領域が設定され、
各素子領域の前記第１及び第２給電部のそれぞれに同時に駆動電流を供給する制御部を備えたこと、
を特徴とする請求項１〜７のいずれか一項に記載の発光装置。
【請求項９】
前記透明基板の前記第１電極が形成された一主面と対向する主面に、前記発光部が発する光を拡散する拡散部材を備えたこと、
を特徴とする請求項１〜８のいずれか一項に記載の発光装置。
【請求項１０】
前記第１及び第２端子部に電気的に接続されたフレキシブル基板を備えたこと、を特徴とする請求項１〜９のいずれか一項に記載の発光装置。
【請求項１１】
前記フレキシブル基板は、少なくとも前記素子領域を覆うように前記透明基板に固定されること、を特徴とする請求項１０に記載の発光装置。
【発明の詳細な説明】
【技術分野】
【０００１】
本発明は、発光装置に関するものである。
【背景技術】
【０００２】
従来、有機エレクトロルミネッセンス素子（有機ＥＬ素子）を用いた発光装置は、照明等の用途に提案されている。この発光装置は、一対の電極間に有機発光層を含む有機ＥＬ層を挟み、一対の電極間に印加される電圧に応じて有機ＥＬ層に流れる電流により、有機ＥＬ層が発光する（例えば、特許文献１参照）。
【先行技術文献】
【特許文献】
【０００３】
【特許文献１】特表２００７−５３６７０８号公報
【発明の概要】
【発明が解決しようとする課題】
【０００４】
ところで、パネル毎に互いに異なる有機分子材料を用いた有機発光層を形成することで、互いに異なる発光色の発光装置を得ることができる。このため、１枚のパネルにおいて、複数の発光色を発することができる発光装置が望まれている。
【０００５】
本発明は、上記課題を解決するためになされたものであって、その目的は、複数の発光色を発することが可能な発光装置を提供することにある。
【課題を解決するための手段】
【０００６】
上記課題を解決するために、本発明の発光装置は、透明基板と、前記透明基板の一主面に設定された素子領域内に形成され、第１の方向に沿って配列され前記第１の方向と異なる第２の方向に沿って延びるように形成された複数の第１電極と、前記複数の第１電極の一主面にそれぞれ形成された発光部と、前記複数の発光部を覆うように形成された１つの第２電極と、前記複数の第１電極のうちの少なくとも１つに接続された第１給電部と、前記複数の第１電極のうちの前記第１給電部が接続されていない第１電極に接続された第２給電部と、前記第１の方向の先端側又は基端側に形成され、前記第１給電部及び前記第２給電部にそれぞれ接続された第１端子部及び第２端子部と、を有し、前記第１給電部に接続された前記第１電極上の発光部と、前記第２給電部に接続された前記第１電極上の発光部とは、互いに異なる発光色に設定される。
【０００７】
また、本発明の発光装置は、透明基板と、前記透明基板の一主面に設定された素子領域内に形成され、第１の方向に沿って配列され前記第１の方向と異なる第２の方向に沿って延びるように形成された複数の第１電極と、前記複数の第１電極の一主面にそれぞれ形成された発光部と、前記複数の発光部を覆うように形成された１つの第２電極と、前記複数の第１電極のうちの少なくとも１つに接続された第１給電部と、前記複数の第１電極のうちの前記第１給電部が接続されていない第１電極に接続された第２給電部と、前記第１の方向の先端側又は基端側に形成され、前記第１給電部及び前記第２給電部にそれぞれ接続された第１端子部及び第２端子部と、を有し、前記第１給電部に接続された前記第１電極上の発光部と、前記第２給電部に接続された前記第１電極上の発光部とは、互いに同一の発光色に設定され、前記第１電極と前記透明基板との間に第１電極の位置に応じて複数形成され前記発光部が発する光の透過光が異なるカラーフィルタが設けられる。
【０００８】
この発光装置において、前記第１電極は、前記第１給電部に接続された第１電極と、前記第２給電部に接続された第１電極とが前記第１の方向に沿って交互に配列されることが好ましい。
【０００９】
この発光装置において、前記第１及び第２給電部は、それぞれ接続された前記第１電極が同一部材で形成されることが好ましい。
この発光装置において、前記発光部に駆動電流を供給する時間を制御する制御部を備えることが好ましい。
【００１０】
この発光装置において、前記発光部に供給する駆動電流の大きさを制御する制御部を備えることが好ましい。
この発光装置において、前記発光部の少なくとも１つは、前記透明基板の一主面に垂直な方向に複数の発光層が多層に形成されることが好ましい。
【００１１】
この発光装置において、前記透明基板の一主面に複数の前記素子領域が設定され、各素子領域の前記第１及び第２給電部のそれぞれに同時に駆動電流を供給する制御部を備えることが好ましい。
【００１２】
この発光装置において、前記透明基板の前記第１電極が形成された一主面と対向する主面に、前記発光部が発する光を拡散する拡散部材を備えることが好ましい。
この発光装置において、前記第１及び第２端子部に電気的に接続されたフレキシブル基板を備えることが好ましい。
【００１３】
この発光装置において、前記フレキシブル基板は、少なくとも前記素子領域を覆うように前記透明基板に固定されることが好ましい。
【発明の効果】
【００１４】
本発明によれば、複数の発光色を発することが可能な発光装置を提供することができる。
【図面の簡単な説明】
【００１５】
【図１】一実施形態の照明装置の（ａ）概略構成図、（ｂ）断面図である。
【図２】（ａ）（ｂ）は照明装置の電気的な接続構成を示す模式図である。
【図３】（ａ）発光モジュールの装着状態を示す模式図、（ｂ）発光モジュールの斜視図、（ｃ）発光モジュールの平面図、（ｄ）発光モジュールの側面図である。
【図４】別のパネルの断面図である。
【図５】別のパネルの断面図である。
【図６】別の照明装置の概略構成図である。
【図７】別の照明装置の概略構成図である。
【図８】別のパネルの概略構成図である。
【発明を実施するための形態】
【００１６】
以下、一実施形態を図１〜図３に従って説明する。なお、添付図面は、構造の概略を説明するためのものであり、実際の大きさを表していない。
図１（ａ）に示すように、照明装置１０のパネル１１は、そのパネル１１を制御する制御部１２に接続される。パネル１１の透明基板２１は、平面視長方形状に形成されている。透明基板２１の一主面には、この主面を素子領域として領域内に第１及び第２給電部３１，４１と、第１電極３２，４２（陽極）とが形成されている。制御部１２は、接続部材１３を介して第１及び第２給電部３１，４１に電気的に接続され、第１電極３２，４２に駆動電流を供給する制御を行う。このパネル１１は、透明基板２１の主面のうち、第１及び第２給電部３１，４１と、第１電極３２，４２とが形成されていない主面を光出射面（発光面）として用いるものである。透明基板２１は例えばガラス基板である。なお、透明基板２１の材料は、ガラスに限らず、例えば樹脂を用いてもよい。また、透明基板２１として可撓性を有する基板、例えば透明な樹脂フィルム基板やフレキシブル基板等を用いてもよい。また、半透明な部材で形成された構成、一部に透光性を有する部分が設けられた構成及び光の透過率が異なる部分が形成された構成としてもよい。
【００１７】
第１及び第２給電部３１，４１は、透明基板２１の両端部（図中において左右両側）において、透明基板２１の長手方向（第１の方向）に沿って略長方形状に形成されている。第１及び第２給電部３１，４１は、例えば、ＩＴＯ膜、ＩＺＯ膜などの透明導電膜からなる。透明基板２１の一主面における第１及び第２給電部３１，４１の間には、第１給電部３１に接続された第１電極３２と、第２給電部４１に接続された第１電極４２とが長手方向に沿って交互に配列されている。第１電極３２，４２は、透明基板２１の短手方向（第１の方向と直交する第２の方向）に沿って延びる平面視矩形状（図示例では、平面視長方形状）に形成されている。第１電極３２，４２は、第１及び第２給電部３１，４１と同一の材料からなり、一体形成されている。つまり、第１及び第２給電部３１，４１と第１電極３２，４２とは、平面視において櫛歯状に形成されており、歯部となる第１電極３２，４２が互いに噛み合うように構成されている。隣り合う第１電極３２，４２の間には、透明基板２１の短手方向に沿った隙間が設けられ互いに離間している。第１電極３２と第２給電部４１は、互いに離間している。また、第１電極４２と、第１給電部３１は、互いに離間している。
【００１８】
第１電極３２，４２の透明基板２１側とは反対側の主面には、発光部３３，４３がそれぞれ形成されている。発光部３３，４３は、第１電極３２，４２の主面を含む透明基板２１上に形成されている。発光部３３，４３は、少なくとも発光層を含み、長手方向が透明基板２１の短手方向に沿った平面視長方形状に形成されている。隣り合う発光部３３，４３は、透明基板２１上において、その透明基板２１の短手方向に沿った隙間を設けられ互いに離間している。発光部３３，４３の第１電極３２，４２側とは反対側の主面には、第１電極３２，４２に対向して複数の発光部３３，４３の主面を覆うように形成された１つの第２電極２２（陰極）が形成されている。第２電極２２は、透明基板２１の長手方向に沿った略長方形状に形成されている。第２電極２２は、透明導電膜の第１電極３２，４２と比べて抵抗率が小さく仕事関数の小さな金属の膜、例えば、アルミニウム（Ａｌ）膜、マグネシウム（Ｍｇ）膜と銀（Ａｇ）膜の積層膜、である。
【００１９】
また、第２電極２２の一主面を含む透明基板２１の主面には、第１及び第２給電部３１，４１と第１電極３２，４２とを覆うように封止部材２３が形成されている。封止部材２３は、例えば、無機薄膜（酸化ケイ素、酸化アルミニウム等）、又は有機膜（パリレン等）である。なお、封止部材２３としてガラス基板や金属フィルム等を用いてもよい。封止部材２３は、透明基板２１の主面に形成された第１電極３２，４２、発光部３３，４３及び第２電極２２を封止する部材である。
【００２０】
上記透明基板２１の一主面において、透明基板２１の長手方向の一端部（図中において上端部）には、その短手方向に沿って複数（図において３つ）の端子部２４ａ〜２４ｃが互いに離間して配設されている。各端子部２４ａ〜２４ｃは、第１及び第２給電部３１，４１と同一の材料により、平面視矩形状に形成されている。透明基板２１の上端部において、その両端部に形成された端子部２４ａ，２４ｃは、各給電部３１，４１とそれぞれ接続されている。端子部２４ａ，２４ｃの間に配設された端子部２４ｂは、第２電極２２の上端部と電気的に接続されている。
【００２１】
この実施形態において、平面視長方形状の封止部材２３の短辺の長さは、透明基板２１の短辺の長さとほぼ等しく設定されている。また、封止部材２３の長辺の長さは、透明基板２１の長辺の長さよりも短く設定されており、封止部材２３が透明基板２１長手方向の一端側（図中において下端側）に設けられている。従って、透明基板２１の長手方向上端は、封止部材２３から露出している。端子部２４ａ，２４ｃは、各給電部３１，４１から透明基板２１の長手方向に沿って延設され、その一部が封止部材２３から露出している。また、端子部２４ｂは、その一部が封止部材２３から露出しており、露出した部分の主面に端子用補助電極２５が形成されている。
【００２２】
各給電部３１，４１及び端子部２４ａ，２４ｃの透明基板２１側と反対側の主面には、第１及び第２給電用補助電極３４，４４が形成されている。第１及び第２給電用補助電極３４，４４は、透明基板２１の長手方向に沿って延びるように形成されている。各給電用補助電極３４，４４は、長手方向の一端側（図中において上端側）部分が接続部材１３の端子部（図示略）と電気的に接続されている。各給電用補助電極３４，４４の各給電部３１，４１側と反対側の主面には、封止部材２３が形成されている。第１及び第２給電用補助電極３４，４４と、上記した端子用補助電極２５とは、端子部２４ａ〜２４ｃよりも抵抗率の小さな材料、例えば、クロム（Ｃｒ）膜と金（Ａｕ）膜との積層膜により構成されている。なお、第１及び第２給電用補助電極３４，４４を、モリブデン（Ｍｏ）膜とＡｌ膜とＭｏ膜とを含む積層膜により構成してもよい。
【００２３】
各給電用補助電極３４，４４及び端子用補助電極２５は、接続部材１３を介して制御部１２と電気的に接続されている。第１電極３２，４２、発光部３３，４３及び第２電極２２を含む有機ＥＬ素子には、制御部１２から給電用補助電極３４，４４及び端子用補助電極２５を介して駆動電流が供給される。各給電用補助電極３４，４４及び端子用補助電極２５は、各端子部２４ａ〜２４ｃに接続部材１３の端子部を接触させて電気的に接続する場合に比べ、接続部材１３の端子部との接触抵抗の値と、接触抵抗のばらつきを低減する。これにより、パネル１１の発光効率の向上が図られている。
【００２４】
また、各給電用補助電極３４，４４は、第１及び第２給電部３１，４１の周辺における電位をほぼ等しくする。即ち、各給電用補助電極３４，４４は、透明基板２１の長手方向において、第１及び第２給電部３１，４１に接続された第１電極３２，４２の電圧の不均一性を改善する。詳述すると、透明導電膜からなる第１及び第２給電部３１，４１には、透明基板２１の長手方向の端部に形成された端子部２４ａ，２４ｃを介して駆動電流が供給される。このため、第１及び第２給電部３１，４１には、透明基板２１の長手方向に沿って、抵抗値により電位勾配が生じる。各給電用補助電極３４，４４は、第１及び第２給電部３１，４１の主面に透明基板２１の長手方向に沿って延びるように形成され、第１電極３２，４２と電気的に接続されている。従って、駆動電流は、透明基板２１の長手方向に沿って形成された各給電用補助電極３４，４４からそれぞれに電気的に接続された第１電極３２，４２に向って流れ、電位勾配が改善される。これにより、電位勾配に起因する発光部３３，４３における輝度むらが低減される。また、各給電用補助電極３４，４４を設けて電気的抵抗が改善されることで、各給電用補助電極３４，４４及び給電部３１，４１の部材を形成する領域の拡大、即ちパネル１１（照明装置１０）の大型化が抑制できる。また、各給電用補助電極３４，４４及び給電部３１，４１を形成する領域の拡大が抑制されることで、同じ面積の素子領域の短手方向に沿って形成する第１電極３２，４２の長さを長くできる。つまり、発光部３３，４３の平面視における面積（発光する部分の面積）の増大を図ることが可能となる。
【００２５】
上記したパネル１１は、各発光部３３，４３における発光層が各第１電極３２，４２と第２電極２２との間に直流電圧を通電したときに発光するように構成されている。発光部３３，４３は、所望の発光色の光が得られる有機分子材料により形成された発光層と、発光層と第１電極３２，４２との間に介在する正孔輸送層と、発光層と第２電極２２との間に介在する電子輸送層とを備えている。そして、発光部３３，４３は、例えば異なる有機分子材料から形成された発光層を含み、互いに異なる発光色に設定されている。例えば、発光部３３の発光色は赤色、発光部４３の発光色は緑色である。なお、発光部３３，４３の発光色は適宜変更してもよい。例えば、青色と緑色の組み合わせを設定してもよい。また、濃淡の異なる同系色を設定してもよい。
【００２６】
なお、発光部３３，４３の層構造は特に限定するものではなく、例えば、発光部３３，４３の所望の発光色が白色の場合には、発光層中に赤色、緑色、青色の３種類のドーパント色素をドーピングするようにして正孔輸送層と発光層と電子輸送層との積層構造を採用するようにしてもよい。また、青色正孔輸送性発光層と緑色電子輸送性発光層と赤色電子輸送性発光層との積層構造を採用してもよい。また、正孔輸送層と青色電子輸送性発光層と緑色電子輸送性発光層と赤色電子輸送性発光層との積層構造を採用してもよい。また、透明基板２１中に発光部３３，４３の発光層からの光によって励起されて発光層からの光に比べて長波長の光を放射する１ないし複数の蛍光体を含有させてもよく、発光層の発光色を青色、蛍光体の発光色を黄色とすれば、白色光を得ることが可能となる。また、発光部３３，４３は、正孔輸送層および電子輸送層を設けずに発光層のみにより構成してもよい。
【００２７】
また、透明基板２１の第１電極３２，４２側と反対側の主面には、拡散フィルム２７が設けられている。拡散フィルム２７は、透明基板２１の発光面から出射される光を拡散する。
【００２８】
次に、照明装置１０の動作（作用）について説明する。
上記した照明装置１０では、制御部１２が外部からの制御信号に基づいて第１及び第２給電部３１，４１（各給電用補助電極３４，４４）に対する駆動電流の供給を切り替える。詳述すると、図２（ａ）に示すように、制御部１２は、第１の発光状態として、第１給電部３１を介して第１電極３２と第２電極２２との間に駆動電流を供給して発光部３３を発光（本実施形態では赤色）させる。そして、透明基板２１の発光面から出射された光は、拡散フィルム２７により拡散される。これにより、発光面の拡散フィルム２７に対応する部分全体がほぼ均一の輝度で発光する。
【００２９】
また、制御部１２は、図２（ｂ）に示すように、第１の発光状態において、外部からの制御信号に基づいて第１給電部３１から第２給電部４１に駆動電流の供給を切り替える。そして、制御部１２は、第２の発光状態として、第２給電部４１を介して第１電極４２と第２電極２２との間に駆動電流を供給して発光部４３を発光（本実施形態では緑色）させる。これにより、発光面の拡散フィルム２７に対応する部分全体がほぼ均一の輝度で発光する。このようにして、照明装置１０は、第１及び第２の発光状態を切り替えて動作することにより、パネル１１の発光部の全体（発光面）の色を、各発光部３３，４３に応じた色とすることが可能となる。
【００３０】
ここで、比較例の構成を、本実施形態と同じ符号を用いて説明する。比較例のパネルは、例えば長方形状の透明基板２１の一主面に長手方向に沿って延びるように第１電極３２，４２が形成される。これらの第１電極３２，４２には、長手方向に沿って、抵抗値により電位勾配が生じる。従って、発光部３３，４３から発する光の輝度には、長手方向においてばらつきが生じる。このような輝度のばらつきを低減するために、例えば、透明基板２１の長手方向の両端部を接続部材１３と電気的に接続して両端部から第１電極３２，４２に駆動電流を供給する構成等が必要となる。このような透明基板２１の長手方向の両端部に接続部材１３を接続する構成では、パネル１１に対する接続が複雑となる。また、輝度のばらつきを低減するために、例えば、各第１電極３２，４２の長手方向（透明基板２１の長手方向）に沿って給電用補助電極をそれぞれ設ける構成が考えられるが、このような構成では、構造が複雑化するとともに、発光部３３，４３を形成する領域が狭くなる。
【００３１】
一方、本実施形態のパネル１１は、第１電極３２，４２を透明基板２１の短手方向に沿って延びるように形成し、この短手方向の一端において第１電極３２，４２のそれぞれに給電部３１，４１が接続されている。各給電部３１，４１には、透明基板２１の長手方向の一端に形成された端子部２４ａ，２４ｃから駆動電流が供給される。これにより、透明基板２１の長手方向の一端側に端子部２４ａ，２４ｃを設けた構成で、発光面全体をほぼ均一に発光させることができる。このため、パネル１１に対する接続が容易となる。また、透明基板２１の両端部に接続部材１３を接続する場合と比べて接続に要する時間が短くなり、製造時間の短縮を図ることができる。
【００３２】
また、発光部３３の形成において、プロセスのばらつき等の要因により、発光部３３の線幅にばらつきが生じる。発光部３３の抵抗値は、形状（長さと幅）に応じて変化する。そして、形状のばらつきによる抵抗値の変化量は、幅が狭いほど、変化量が大きくなる。従って、上記の比較例にて示した発光部における抵抗値のばらつきと比べ、図１（ａ）に示す発光部３３における抵抗値のばらつきは少なくなる。このため、発光部３３における輝度のばらつきを抑制することができる。同様に、発光部４３においても、上記の比較例にて示した発光部における抵抗値のばらつきと比べ、発光部４３における抵抗値のばらつきは少なくなる。このため、発光部４３における輝度のばらつきを抑制することができる。
【００３３】
次に、上記したパネル１１を用いる場合の一形態について説明する。
上記のパネル１１は、例えば、図３（ａ）及び図３（ｂ）に示す発光モジュールＭに含まれる。この発光モジュールＭの場合、接続部材１３には、フレキシブル基板１３ａが用いられる。
【００３４】
図３（ａ）及び図３（ｂ）に示すように、発光モジュールＭは、パネル１１の透明基板２１の発光面側と反対の主面に、この主面全体を覆うようにフレキシブル基板１３ａが接続され、所定の装置５０（例えば、照明のスイッチ装置等）に固定されている。フレキシブル基板１３ａは、透明基板２１の長手方向の一端から延設され、延設された先端部に接続端子１４が形成されている。接続端子１４には、例えば、制御部（図示略）が接続される。図３（ｃ）及び図３（ｄ）に示すように、透明基板２１の一主面には、素子領域ＳＲ０が設定され、この素子領域ＳＲ０に対応する透明基板２１の一主面には、第１電極（図示略）等を有する有機ＥＬ素子１５が設けられている。フレキシブル基板１３ａは、透明基板２１の主面に形成された有機ＥＬ素子１５と対向する位置に設けられている。フレキシブル基板１３ａは、透明基板２１の長手方向の一端（図中において上端）側が導電性を有する接続部材（例えば、異方導電性フィルム（ＡＣＦ：Anisotropic Conductive Film））１６により透明基板２１の一主面に圧着され端子部（図示略）と電気的に接続されている。また、フレキシブル基板１３ａは、透明基板２１の長手方向の下端側が固定部１７により、例えば接着固定されている。このような構成では、パネル１１の発光部（図示略）を、装置５０の動作（例えば、スイッチのオンオフ動作）に合わせて異なる発光色で発光させることができる。また、図３（ａ）に示すように、パネル１１を装置５０の一主面に密着させた状態で固定でき、ＬＥＤ素子等の他の発光素子を用いた場合に比べて装置５０全体の小型化（図中において上下方向の幅Ｈの薄型化）を図ることができる。
【００３５】
また、図３（ｂ）の矢印で示すように、装置５０に対して発光モジュールＭを挿入する態様でパネル１１を装着でき、パネル１１（透明基板２１）の長手方向の一端からフレキシブル基板１３ａを介して駆動電流を供給することができる。また、透明基板２１の有機ＥＬ素子１５が形成された主面をフレキシブル基板１３ａで覆うことにより、有機ＥＬ素子１５を外部からの衝撃から保護できるとともに、発光モジュールＭの透明基板２１及びフレキシブル基板１３ａを含む部分の強度が向上できる。
【００３６】
この実施形態は、以下の効果を奏する。
（１）パネル１１は、略長方形状の透明基板２１の一主面（素子領域内）に透明基板２１の長手方向（第１の方向）に沿って配列され前記透明基板２１の短手方向（第２の方向）に沿って延びる略長方形状に形成された複数の第１電極３２，４２を有する。第１電極３２，４２の一主面には、それぞれ発光部３３，４３が形成される。透明基板２１の主面には、発光部３３，４３を覆うように１つの第２電極２２が形成されている。透明基板２１の短手方向の両端部には、第１電極３２に接続された第１給電部３１と、第１電極４２に接続された第２給電部４１とがそれぞれ形成されている。各給電部３１，４１は、透明基板２１の長手方向の一端側に形成された端子部２４ａ，２４ｃにそれぞれ接続され、制御部１２からの駆動電流が供給される。そして、第１給電部３１に接続された第１電極３２上の発光部３３と、第２給電部４１に接続された第１電極４２上の発光部４３とは、互いに異なる発光色に設定されている。これにより、第１及び第２給電部３１，４１に対する駆動電流の供給を切り替えて、パネル１１の発光部の全体（発光面）の色を、各発光部３３，４３に応じた色とすることが可能となる。
【００３７】
（２）第１電極３２，４２は、透明基板２１の短手方向に沿って延びるように形成され、この短手方向の一端において各給電部３１，４１とそれぞれ接続されている。各給電部３１，４１には、透明基板２１の長手方向の一端に形成された端子部２４ａ，２４ｃから駆動電流が供給される。これにより、透明基板２１の長手方向の一端側に端子部２４ａ，２４ｃを設けた構成で、発光面全体をほぼ均一に発光させることができる。このため、パネル１１に対する接続が容易となる。また、透明基板２１の両端部に接続部材１３を接続する場合と比べて接続に要する時間が短くなり、製造時間の短縮を図ることができる。
【００３８】
（３）第１電極３２，４２は、第１給電部３１に接続された第１電極３２と、第２給電部４１に接続された第１電極４２とが透明基板２１の長手方向において交互に配列されている。これにより、各発光部３３，４３を発光させた場合の発光面における発光部分の偏りを少なくすことができる。
【００３９】
（４）第１及び第２給電部３１，４１は、それぞれ接続された第１電極３２，４２が同一部材で形成されており、給電部３１，４１及び第１電極３２，４２を容易に形成することができる。
【００４０】
（５）透明基板２１の第１電極３２，４２が形成された一主面と対向する主面には、発光部３３，４３が発する光を拡散する拡散フィルム２７（拡散部材）が設けられており、発光面おける輝度の均一化を図ることができる。
【００４１】
（６）発光モジュールＭは、所定の装置５０に対してパネル１１を挿入する態様で装着させることができ、透明基板２１の長手方向の一端からフレキシブル基板１３ａを介して駆動電流を供給することができる。これにより、発光モジュールＭを装置５０に対して容易に装着することができる。
【００４２】
（７）発光モジュールＭは、透明基板２１の有機ＥＬ素子１５が形成された主面をフレキシブル基板１３ａで覆うことにより、有機ＥＬ素子１５を外部からの衝撃等に対して保護できるとともに、発光モジュールＭの透明基板２１及びフレキシブル基板１３ａを含む部分の強度が向上できる。
【００４３】
（他の実施形態）
なお、上記実施形態は、これを適宜変更した以下の態様にて実施することもできる。
・上記実施形態の発光部３３，４３は、複数の発光層を有する構成としてもよい。例えば、図４に示すように、第１電極３２の発光部は、透明基板２１の一主面に垂直な方向に複数（図中において４層）の発光層３３ａ〜３３ｄを積層して形成されている。また、第１電極４２の発光部は、透明基板２１の一主面に垂直な方向に複数の発光層４３ａ〜４３ｄを積層して形成されている。このような発光部を多層に形成した構成では、単層で構成した場合に比べて同じ駆動電流を用いて発光部が発する光の輝度を向上させることができる。つまり、低い電流値の駆動電流を用いて輝度が向上できる。駆動電流の大きさは、例えば数十μＡである。なお、発光層３３ａ〜３３ｄ及び発光層４３ａ〜４３ｄ間にそれぞれ中間層５１ａ，５１ｂを設けてもよい。中間層５１ａ，５１ｂは、例えば、一方の主面から正孔を、他方の主面から電子を注入可能な部材から構成される。
【００４４】
また、上記実施形態では、発光部３３，４３が互いに異なる発光色に設定されていたが、同一の発光色に設定してもよい。例えば、図５に示すように、第１電極３２，４２と透明基板２１との間に第１電極３２，４２の位置に応じて複数形成され、同一の発光色の発光部が発する光の透過光が異なるカラーフィルタ５２ａ，５２ｂをそれぞれ設けた構成としてもよい。なお、図５では、発光部が多層に形成された構成を図示する。発光層３３ａ〜３３ｄ及び発光層４３ａ〜４３ｄは、互いに同一の発光色、例えば赤色に設定された発光層と緑色に設定された発光層との両方を有する。カラーフィルタ５２ａ，５２ｂは、例えば、所望の波長の光を吸収、又は透過させるフィルタである。このような構成では、同一の発光色（同一構造）を有する発光層３３ａ〜３３ｄ，４３ａ〜４３ｄから発光させる光を、発光面から異なる発光色の光として発することができる。
【００４５】
・上記実施形態では、制御部１２が外部からの制御信号に基づいて、第１の発光状態（発光部３３が発光）と、第２の発光状態（発光部４３が発光）とを切り替えるように構成したが、これに限定されない。例えば、制御部１２が各発光部３３，４３に対する駆動電流を制御して調光を行う構成としてもよい。例えば、制御部１２は、発光部３３と、発光部４３とに駆動電流を供給する時間（例えば、駆動電流のデューティ比）を制御する構成としてもよい。これにより、例えば、異なる発光色に設定された発光部３３，４３を交互に連続して点灯させる場合には、各発光部３３，４３の発光する時間を制御することで、パネル１１が発する光の色（使用者が認識する色）を変更することができる。また、各発光部３３，４３のそれぞれに対してデューティ制御を行う場合には、各発光部３３，４３が発する光の輝度を変更することができる。また、上記した制御を組み合わせて、色及び輝度の両方を調光する構成としてもよい。
【００４６】
また、制御部１２は、発光部３３，４３に供給する駆動電流（例えば、出力電流）の大きさを制御するように構成してもよい。このような構成においても、上記したデューティ制御と同様の効果を得ることができる。
【００４７】
・上記実施形態において、第１及び第２給電部３１，４１にそれぞれ接続される第１電極３２，４２の数及び位置を適宜変更してもよい。
・上記実施形態において、第１及び第２給電部３１，４１を省略して、第１及び第２給電用補助電極３４，４４により各第１電極３２，４２を直接接続する構成としてもよい。なお、この構成では、第１及び第２給電用補助電極３４，４４を給電部及び端子部として構成することができる。図６に示すように、パネル１１は、第１給電用補助電極３４により第１電極３２が互いに接続される。また、第２給電用補助電極４４により第１電極４２が互いに接続される。このような構成においても、上記した実施形態と同様の効果を得ることができる。
【００４８】
・上記実施形態において、素子領域の形状は長方形状（矩形状）に限らず、ひし形、台形、円及び環状等に適宜変更してもよい。また、三角形及び五角形以上の多角形に適宜変更してもよい。このような素子領域の形状に応じて、第１及び第２の方向を設定して各部材の形状を適宜変更する。これにより、所望の形状の発光部分を有するパネル１１を構成することができる。
【００４９】
・上記実施形態では、透明基板２１の一主面全体を１つの素子領域として設定したが、例えば、図７に示すように、透明基板２１の主面に複数、例えば３つの素子領域ＳＲ１〜ＳＲ３を設定してもよい。図７に示すパネル１１ａは、平面視矩形状（図中において、平面視正方形状）に形成された透明基板２１を有する。透明基板２１の一主面には、３つの素子領域ＳＲ１〜ＳＲ３が設定されている。各素子領域ＳＲ１〜ＳＲ３は、長手方向（第１の方向）が透明基板２１の一辺の方向（図中において上下方向）となる長方形状に設定され、各素子領域ＳＲ１〜ＳＲ３が、素子領域ＳＲ１〜ＳＲ３の短手方向（第２の方向）に沿って配列されている。なお、複数の素子領域ＳＲ１〜ＳＲ３を配列する位置は適宜変更してもよい。例えば、第１及び第２の方向と異なる方向に沿って配列、又は所定の角度の曲線上に配列してもよい。
【００５０】
素子領域ＳＲ１〜ＳＲ３内には、第１電極３２，４２及び第２電極２２を含む有機ＥＬ素子がそれぞれ形成されている。透明基板２１の一端部（図中において上端部）には、接続基板５３が設けられている。各素子領域ＳＲ１〜ＳＲ３内の端子部２４ａ〜２４ｃは、接続基板５３によりそれぞれ並列に接続されている。なお、各素子領域ＳＲ１〜ＳＲ３の第１電極３２に接続された端子部２４ｃと、第１電極４２に接続された端子部２４ａとがそれぞれ直列となるように接続された構成としてもよい。接続基板５３は、制御部１２と電気的に接続されている。透明基板２１の第１電極３２，４２側とは反対側の主面には、素子領域ＳＲ１〜ＳＲ３の位置に応じた１つの拡散フィルム２７が設けられている。このような構成では、制御部１２からの駆動電流が各素子領域ＳＲ１〜ＳＲ３内の同じ発光色に設定された発光部（図示略）にほぼ同時に供給され発光することで、複数の発光色を有する面状の光源を構成することができる。
【００５１】
また、例えば、図８に示すように、透明基板２１の主面において離間した位置に素子領域ＳＲ４，ＳＲ５をそれぞれ設けた構成としてもよい。図８に示すパネル１１ｂは、平面視矩形状の透明基板２１の一主面において、対角線で対向する角部分に素子領域ＳＲ４，ＳＲ５がそれぞれ設定されている。このような素子領域ＳＲ４，ＳＲ５を透明基板２１上に設定する位置は、照明装置１０（パネル１１）を用いる用途や構造等（例えば、照明のスイッチ装置のハンドル部分に設けられる発光装置やパーソナルコンピュータの状態を示す発光装置等）に応じて適宜変更することができる。
【００５２】
・上記実施形態において、拡散フィルム２７の形状・数等を適宜変更してもよい。
・上記実施形態において、パネル１１の駆動源は制御部１２に限らず、他の駆動源を用いて制御部１２を省略した構成としてもよい。
【００５３】
・上記実施形態において、フレキシブル基板１３ａ（接続部材１３）上に制御部１２を実装した構成としてもよい。
・第１電極３２，４２（陽極）と、第２電極２２（陰極）との極性を反対にして構成してもよい。
【００５４】
・上記実施形態において、各部材の形状・材料及び構成等を適宜変更してもよい。
【符号の説明】
【００５５】
１０…照明装置（発光装置）、１１…パネル（発光装置）、１２…制御部、１３ａ…フレキシブル基板、２１…透明基板、２２…第２電極、２４ａ，２４ｃ…端子部（第１端子部，第２端子部）、２７…拡散フィルム（拡散部材）、３１…第１給電部、４１…第２給電部、３２，４２…第１電極、３３，４３…発光部、３３ａ〜３３ｄ，４３ａ〜４３ｄ…発光層、５２ａ，５２ｂ…カラーフィルタ、ＳＲ０〜ＳＲ５…素子領域。
【図１】
2013125690.tif 000003
【図２】
2013125690.tif 000004
【図３】
2013125690.tif 000005
【図４】
2013125690.tif 000006
【図５】
2013125690.tif 000007
【図６】
2013125690.tif 000008
【図７】
2013125690.tif 000009
【図８】
2013125690.tif 000010